(57)【要約】【課題】データドライバ制御用信号を伝送するための信号線数や端子数等を削減する。【解決手段】表示パネル１１における画像表示動作を制御するデータドライバ部１２と、少なくとも水平同期信号、前記表示パネル１１での画像表示内容を特定する画像データ用信号、および、前記データドライバ部１２での制御内容を特定するデータドライバ制御用信号を前記データドライバ部１２に与えるタイミングコントロール部１４と、を備える表示パネル用駆動回路において、前記タイミングコントロール部１４は、前記画像データ用信号と前記データドライバ制御用信号とを、同一の信号線１５を通じて、前記データドライバ部１２に与えるとともに、前記水平同期信号の伝送期間中に前記データドライバ制御用信号を伝送し、前記水平同期信号の伝送期間外に前記画像データ用信号を伝送する。【選択図】図１
2010096956.tif 000002
【特許請求の範囲】
【請求項１】
画像表示を行う表示パネルにおける画像表示動作を制御するデータドライバ部と、
前記データドライバ部が行う制御に必要となる信号として、少なくとも、水平同期信号、前記表示パネルでの画像表示内容を特定する画像データ用信号、前記データドライバ部が制御を行う際の制御内容を特定するデータドライバ制御用信号を当該データドライバ部に与えるタイミングコントロール部とを備え、
前記タイミングコントロール部は、前記画像データ用信号と前記データドライバ制御用信号とを同一の信号線を通じて前記データドライバ部に与えるとともに、前記水平同期信号の伝送期間中に前記データドライバ制御用信号を伝送し、前記水平同期信号の伝送期間外に前記画像データ用信号を伝送する
表示パネル用駆動回路。
【請求項２】
前記データドライバ制御用信号は、前記データドライバ部への制御内容が一義的に特定される制御用コマンドを含んで構成されている
請求項１記載の表示パネル用駆動回路。
【請求項３】
前記タイミングコントロール部は、前記データドライバ部への制御内容に従い前記制御用コマンドへの変換を行うエンコード機能を有し、
前記データドライバ部は、前記制御用コマンドを解釈するデコード機能を有する
請求項２記載の表示パネル用駆動回路。
【請求項４】
前記制御用コマンドにより特定される制御内容は、一垂直周期中における有効映像期間と当該一垂直周期中における非有効映像期間とで異なり、
前記有効映像期間では、前記画像データ用信号に基づく画像表示動作を指示する内容であり、
前記非有効映像期間では、前記データドライバ部におけるドライバ内部設定動作および画像表示動作も内部設定動作もしない待機動作を指示する内容である
請求項２または３記載の表示パネル用駆動回路。
【請求項５】
画像表示を行う表示パネルと、
前記表示パネルにおける画像表示動作を制御するデータドライバ部と、
前記データドライバ部が行う制御に必要となる信号として、少なくとも、水平同期信号、前記表示パネルでの画像表示内容を特定する画像データ用信号、前記データドライバ部が制御を行う際の制御内容を特定するデータドライバ制御用信号を当該データドライバ部に与えるタイミングコントロール部とを備え、
前記タイミングコントロール部は、前記画像データ用信号と前記データドライバ制御用信号とを同一の信号線を通じて前記データドライバ部に与えるとともに、前記水平同期信号の伝送期間中に前記データドライバ制御用信号を伝送し、前記水平同期信号の伝送期間外に前記画像データ用信号を伝送する
表示パネルモジュール。
【請求項６】
前記データドライバ制御用信号は、前記データドライバ部への制御内容が一義的に特定される制御用コマンドを含んで構成されている
請求項５記載の表示パネルモジュール。
【請求項７】
前記タイミングコントロール部は、前記データドライバ部への制御内容に従い前記制御用コマンドへの変換を行うエンコード機能を有し、
前記データドライバ部は、前記制御用コマンドを解釈するデコード機能を有する
請求項６記載の表示パネルモジュール。
【請求項８】
前記制御用コマンドにより特定される制御内容は、一垂直周期中における有効映像期間と当該一垂直周期中における非有効映像期間とで異なり、
前記有効映像期間では、前記画像データ用信号に基づく画像表示動作を指示する内容であり、
前記非有効映像期間では、前記データドライバ部におけるドライバ内部設定動作および画像表示動作も内部設定動作もしない待機動作を指示する内容である
請求項６または７記載の表示パネルモジュール。
【請求項９】
画像表示を行う表示パネルと、
前記表示パネルにおける画像表示動作を制御するデータドライバ部と、
前記データドライバ部が行う制御に必要となる信号として、少なくとも、水平同期信号、前記表示パネルでの画像表示内容を特定する画像データ用信号、前記データドライバ部が制御を行う際の制御内容を特定するデータドライバ制御用信号を当該データドライバ部に与えるタイミングコントロール部と、
外部から入力されたビデオ信号を前記タイミングコントロール部へ受け渡す信号処理部とを備え、
前記タイミングコントロール部は、前記画像データ用信号と前記データドライバ制御用信号とを同一の信号線を通じて前記データドライバ部に与えるとともに、前記水平同期信号の伝送期間中に前記データドライバ制御用信号を伝送し、前記水平同期信号の伝送期間外に前記画像データ用信号を伝送する
表示装置。
【請求項１０】
前記データドライバ制御用信号は、前記データドライバ部への制御内容が一義的に特定される制御用コマンドを含んで構成されている
請求項９記載の表示装置。
【請求項１１】
前記タイミングコントロール部は、前記データドライバ部への制御内容に従い前記制御用コマンドへの変換を行うエンコード機能を有し、
前記データドライバ部は、前記制御用コマンドを解釈するデコード機能を有する
請求項１０記載の表示装置。
【請求項１２】
前記制御用コマンドにより特定される制御内容は、一垂直周期中における有効映像期間と当該一垂直周期中における非有効映像期間とで異なり、
前記有効映像期間では、前記画像データ用信号に基づく画像表示動作を指示する内容であり、
前記非有効映像期間では、前記データドライバ部におけるドライバ内部設定動作および画像表示動作も内部設定動作もしない待機動作を指示する内容である
請求項９または１０記載の表示装置。
【請求項１３】
画像表示を行う表示パネルにおける画像表示動作を制御するデータドライバ部に対して、当該データドライバ部が行う制御に必要となる信号として、少なくとも、水平同期信号、前記表示パネルでの画像表示内容を特定する画像データ用信号、前記データドライバ部が制御を行う際の制御内容を特定するデータドライバ制御用信号を当該データドライバ部に接続するタイミングコントロール部から与えるのにあたり、前記画像データ用信号と前記データドライバ制御用信号とを同一の信号線を通じて前記タイミングコントロール部から前記データドライバ部に与えるとともに、前記水平同期信号の伝送期間中に前記データドライバ制御用信号を伝送し、前記水平同期信号の伝送期間外に前記画像データ用信号を伝送する
表示パネルの駆動方法。
【請求項１４】
前記データドライバ制御用信号は、前記データドライバ部への制御内容が一義的に特定される制御用コマンドを含んで構成されている
請求項１３記載の表示パネルの駆動方法。
【請求項１５】
前記タイミングコントロール部は、前記データドライバ部への制御内容に従い前記制御用コマンドへの変換を行うエンコード機能を有し、
前記データドライバ部は、前記制御用コマンドを解釈するデコード機能を有する
請求項１４記載の表示パネルの駆動方法。
【請求項１６】
前記制御用コマンドにより特定される制御内容は、一垂直周期中における有効映像期間と当該一垂直周期中における非有効映像期間とで異なり、
前記有効映像期間では、前記画像データ用信号に基づく画像表示動作を指示する内容であり、
前記非有効映像期間では、前記データドライバ部におけるドライバ内部設定動作および画像表示動作も内部設定動作もしない待機動作を指示する内容である
請求項１４または１５記載の表示パネルの駆動方法。
【発明の詳細な説明】
【技術分野】
【０００１】
本発明は、表示パネルを駆動して画像表示を行う表示パネル用駆動回路、当該表示パネル用駆動回路を備えて構成される表示パネルモジュールおよび表示装置、並びに、表示パネルの駆動方法に関する。
【背景技術】
【０００２】
近年、フラットパネルディスプレイと呼ばれる表示装置が広く普及している。フラットパネルディスプレイは、液晶パネルや有機エレクトロルミネッセンス（ＥＬ）パネル等の表示パネルを備え、その表示パネルを用いて動画や静止画等についての画像表示を行うものである。
【０００３】
このようなフラットパネルディスプレイは、例えば図１０に示すように、画像表示を行う表示パネル５１に付随して、当該表示パネル５１における画像表示動作を制御するデータドライバ部５２およびスキャンドライバ部５３と、これら各ドライバ部５２，５３に対する信号供給を行うタイミングコントロール部５４と、を備えている。そして、表示パネル５１での画像表示を行う場合に、データドライバ部５２には、クロック信号ＣＬＫ、垂直同期信号Ｖsync、水平同期信号Ｈsyncおよび画像データ用信号（例えば、ＲＧＢの各色１０ビット、計３０ビットの信号。）が、タイミングコントロール部５４から供給されるようになっている。
【０００４】
また、タイミングコントロール部５４からデータドライバ部５２への信号供給については、垂直同期信号Ｖsyncまたは水平同期信号Ｈsyncの少なくとも一方と画像データ用信号とを時分割で多重化して、同一の信号線を介して伝送するものがある（例えば、特許文献１参照。）。同一の信号線での伝送により、信号線数の減少による装置小型化やノイズ低減等が図れるからである。
【０００５】
【特許文献１】特開２００６−２５９４８７号公報
【発明の開示】
【発明が解決しようとする課題】
【０００６】
しかしながら、フラットパネルディスプレイの中には、表示パネル５１での画像表示にあたり、データドライバ部５２に対して、データドライバ制御用信号の供給を要するものがある。すなわち、クロック信号ＣＬＫ、垂直同期信号Ｖsync、水平同期信号Ｈsyncおよび画像データ用信号の他に、データドライバ制御用信号の供給を必要とするのである。
データドライバ制御用信号とは、データドライバ部５２が制御を行う際の制御内容を特定する信号のことをいう。具体的には、データドライバ部５２が表示パネル５１に対して出力する電流値または電圧値を当該データドライバ部５２に設定するための信号や、当該データドライバ部５２の内部設定を指示するために信号等が、これに相当する。
したがって、データドライバ制御用信号の供給を要する場合には、例えば同期信号Ｖsync，Ｈsyncと画像データ用信号とを多重化しても、これらを伝送する信号線とは別に、当該データドライバ制御用信号を伝送するための信号線が必要となる。つまり、データドライバ制御用信号の伝送のために、データドライバ部５２に専用の入力端子を用意したり、またはタイミングコントロール部５４とデータドライバ部５２との間に専用インターフェース回路を取り付けたりする必要が生じてしまう。
このような信号線や専用入力端子の設置数増加や専用インターフェース回路の存在等は、回路構成の複雑化を招き、装置コストの増大に繋がるため、回避すべきである。
【０００７】
そこで、本発明は、データドライバ制御用信号を伝送する場合に、タイミングコントロール部とデータドライバ部との間の信号線数やデータドライバ部の端子数等を削減できる、表示パネル用駆動回路、表示パネルモジュール、表示装置および表示パネルの駆動方法を提供することを目的とする。
【課題を解決するための手段】
【０００８】
本発明は、上記目的を達成するために案出された表示パネル用駆動回路で、画像表示を行う表示パネルにおける画像表示動作を制御するデータドライバ部と、前記データドライバ部が行う制御に必要となる信号として、少なくとも、水平同期信号、前記表示パネルでの画像表示内容を特定する画像データ用信号、前記データドライバ部が制御を行う際の制御内容を特定するデータドライバ制御用信号を当該データドライバ部に与えるタイミングコントロール部とを備え、前記タイミングコントロール部は、前記画像データ用信号と前記データドライバ制御用信号とを同一の信号線を通じて前記データドライバ部に与えるとともに、前記水平同期信号の伝送期間中に前記データドライバ制御用信号を伝送し、前記水平同期信号の伝送期間外に前記画像データ用信号を伝送する表示パネル用駆動回路である。
【０００９】
上記構成の表示パネル用駆動回路では、水平同期信号の伝送期間中にデータドライバ制御用信号を伝送し、水平同期信号の伝送期間外に画像データ用信号を伝送する。すなわち、画像データ用信号とデータドライバ制御用信号とを、同一の信号線を通じて、タイミングコントロール部からデータドライバ部へ供給するのである。そのため、タイミングコントロール部とデータドライバ部との間では、画像データ用信号とデータドライバ制御用信号とをそれぞれ別個の信号線で伝送する場合に比べて、信号線数や端子数等を削減することができるようになる。
【発明の効果】
【００１０】
本発明によれば、データドライバ部が行う制御内容を特定するデータドライバ制御用信号をタイミングコントロール部から当該データドライバ部へ伝送する場合であっても、これらの間の信号線数や端子数等を削減することができる。したがって、タイミングコントロール部とデータドライバ部との間の回路構成の簡素化が実現でき、これにより装置小型化への対応が容易となり、また装置コストの増大も抑制し得るようになる。しかも、データドライバ制御用信号の伝送により、当該データドライバ制御用信号の内容によってデータドライバ部が行う制御内容を変えることができるようになる。つまり、動作条件やその設定等の変更が非常に容易となるので、汎用性の高い動作制御を実現し得るようになる。
【発明を実施するための最良の形態】
【００１１】
以下、図面に基づき本発明に係る表示パネル用駆動回路、表示パネルモジュール、表示装置および表示パネルの駆動方法について説明する。
【００１２】
図１は、本発明に係る表示装置の概略構成例を示す機能ブロック図である。
図例のように、表示装置１は、表示パネルモジュール２と、ビデオ信号処理回路３と、ＩＰ変換回路４と、を備えて構成されている。そして、外部からのビデオ信号（映像信号）をビデオ信号処理回路３が受け取ると、当該ビデオ信号に対してビデオ信号処理回路３が必要に応じて所定の信号処理を行う。さらに、ＩＰ変換回路４がインターレース信号からプログレッシブ信号への変換を行う。そして、変換後の信号を表示パネルモジュール２のタイミングコントロール部１４へ受け渡す。つまり、表示装置１では、ビデオ信号処理回路３およびＩＰ変換回路４が、外部から入力されたビデオ信号をタイミングコントロール部１４へ受け渡す「信号処理部」として機能するようになっている。
【００１３】
表示パネルモジュール２は、表示パネル１１と、当該表示パネル１１を駆動して画像表示を行う表示パネル用駆動回路と、を備えて構成されている。
このうち、表示パネル１１は、複数の表示素子がマトリクス状に配置されてなり、これら複数の表示素子を用いて画像表示を行うものである。表示素子としては、例えば、自発光型の有機ＥＬ素子や光透過型または光反射型の液晶素子等が挙げられる。ただし、必ずしもこれらに限定されることはなく、フラットパネルディスプレイを構成するものであれば、他の表示素子（例えば、放電により発光する自発光型素子。）であっても構わない。
【００１４】
一方、表示パネル用駆動回路は、表示パネル１１における画像表示動作を制御して、当該表示パネル１１に画像表示を行わせるものである。そのために、表示パネル用駆動回路は、データドライバ部１２と、スキャンドライバ部１３と、タイミングコントロール部１４と、信号の伝送を行う信号線１５と、を備えて構成されている。
【００１５】
データドライバ部１２は、表示パネル１１に画像表示を行わせるために、当該表示パネル１１を構成する表示素子に対して、当該表示パネル１１での画像表示内容を特定する画像データ用信号に応じた大きさの電圧および電流を供給する。さらには、例えば表示素子に対して定電流を与えるように構成された表示パネル１１の場合であれば、パルス幅変調にて階調表示を行う。すなわち、データドライバ部１２は、各表示素子に対する電圧および電流の供給を通じて、表示パネル１１における画像表示動作を制御するようになっている。
【００１６】
スキャンドライバ部１３も、データドライバ部１２と同様に、表示パネル１１における画像表示動作を制御する。ただし、スキャンドライバ部１３では、データドライバ部１２の出力に同期して線順次スキャンを行うようになっている。
【００１７】
タイミングコントロール部１４は、表示パネル１１での画像表示に必要な各種信号を出力するもので、各ドライバ部１２，１３に供給する信号の生成および生成した信号の各ドライバ部１２，１３への供給を行う。具体的には、ビデオ信号処理回路３およびＩＰ変換回路４から渡されたビデオ信号について、表示パネル１１での表示タイミングに同期するように伝送レートを変換し、これを当該表示パネル１１での画像表示内容を特定する画像データ用信号として、データドライバ部１２へ供給する。また、データドライバ部１２が制御を行う際の制御内容を特定すべく、当該データドライバ部１２の仕様に沿った制御信号を生成し、これをデータドライバ制御用信号として、データドライバ部１２へ供給する。さらには、画像データ用信号の同期信号として、クロック信号ＣＬＫ、垂直同期信号Ｖsyncおよび水平同期信号Ｈsyncを、データドライバ部１２へ供給する。つまり、タイミングコントロール部１４は、データドライバ部１２が行う制御に必要となる信号として、少なくとも、水平同期信号Ｈsyncと、画像データ用信号（例えば、ＲＧＢの各色１０ビット、計３０ビットの信号。）と、データドライバ制御用信号とを、当該データドライバ部１２に与えるようになっている。
なお、タイミングコントロール部１４は、スキャンドライバ部１３に対しても信号供給を行うが、その内容は従来の場合（例えば、図１０参照。）と同様なため、ここではその説明を省略する。
【００１８】
ところで、データドライバ部１２とタイミングコントロール部１４とは、構造的にそれぞれが別基板として構成されている。そのため、データドライバ部１２とタイミングコントロール部１４の間における信号伝送は、ＬＶＤＳ（Low Voltage Differential Signaling）やＲＳＤＳ（Reduced Swing Differential Signaling）等に代表される高速データ多重の差動信号伝送方式にて行うことが一般的である。
ただし、高速差動伝送用の信号線は、一般的な信号線より高価である。したがって、信号線数の増加は、回路構成の複雑化を招くとともに、装置コストの増大に直接的に大きな影響を及ぼす。
【００１９】
このことから、本実施形態における表示装置１、表示パネルモジュール２および表示パネル用駆動回路では、タイミングコントロール部１４からデータドライバ部１２に対して、データドライバ用制御信号を画像用データ信号に重畳して伝送するようになっている。そして、信号を重畳して伝送することにより、データドライバ部１２とタイミングコントロール部１４との間の信号線１５の簡略化を図っている。
【００２０】
以下、具体的な信号重畳方式について説明する。
【００２１】
先ず、信号を重畳して伝送するための機能構成例を説明する。
図２は、本発明に係る表示パネル用駆動回路の機能構成例を示すブロック図である。
図例のように、表示パネル用駆動回路では、信号発信元となるタイミングコントロール部１４が、フレームメモリ２１と、コマンドエンコーダ２２と、セレクタ２３と、を備えている。
【００２２】
フレームメモリ２１は、ビデオ信号処理回路３およびＩＰ変換回路４から渡されたビデオ信号に基づき、表示パネル１１での表示タイミングに同期する伝送レートの画像データ用信号を生成する。ここで生成される画像データ用信号としては、例えばＲＧＢの各色１０ビット、計３０ビットの信号が挙げられる。ただし、必ずしも計３０ビットの信号である必要はなく、他の形式のものであっても構わない。
【００２３】
コマンドエンコーダ２２は、データドライバ制御命令に従いつつ、データドライバ制御用信号となる制御用コマンドを発生させる。
データドライバ制御命令は、データドライバ部１２が制御を行う際の制御内容を特定するもので、タイミングコントロール部１４の外部（例えば、表示パネル用駆動回路の上位回路。）から与えられる。
また、制御用コマンドは、データドライバ部１２での制御内容についてのコマンドであり、表示パネル用駆動回路内で一義的に特定されるものである。具体的には、詳細を後述するように、例えばＲＧＢの各色合計３０ビットの信号のオン／オフの組み合わせで決定されるものが挙げられる。データドライバ制御用信号は、この制御用コマンド、すなわちデータドライバ部１２への制御内容が一義的に特定される制御用コマンドを含んで構成されることになる。
つまり、コマンドエンコーダ２２は、データドライバ部１２への制御内容に従いデータドライバ制御命令から制御用コマンドへの変換を行うエンコード機能を実現するものである。そして、当該制御用コマンドへの変換によってデータドライバ部１２へ供給するデータドライバ制御用信号を生成するようになっている。
【００２４】
セレクタ２３は、フレームメモリ２１が生成した画像データ用信号と、コマンドエンコーダ２２が生成したデータドライバ制御用信号とを、同一の信号線１５を通じて、選択的にデータドライバ部１２へ供給する。ただし、セレクタ２３では、水平同期信号Ｈsyncに同期して、その水平同期信号Ｈsyncの伝送期間中にコマンドエンコーダ２２からのデータドライバ制御用信号を伝送し、水平同期信号Ｈsyncの伝送期間外にはフレームメモリ２１からの画像データ用信号を伝送するようになっている。
【００２５】
一方、信号受信側となるデータドライバ部１２は、セレクタ２４と、画像データ取込部２５と、コマンドデコーダ２６と、を備えている。
【００２６】
セレクタ２４は、水平同期信号Ｈsyncに同期しつつ、タイミングコントロール部１４から伝送されてきた信号の分類を行う。具体的には、水平同期信号Ｈsyncの伝送期間外に伝送されてきた信号は、画像データ用信号であると判断して、画像データ取込部２５へ受け渡す。また、水平同期信号Ｈsyncの伝送期間中に伝送されてきた信号は、データドライバ制御用信号であると判断して、コマンドデコーダ２６へ受け渡す。
【００２７】
画像データ取込部２５は、画像データ用信号を取り込んで、当該画像データ用信号に応じた大きさの電圧および電流を、表示パネル１１の各表示素子に対して出力する。
【００２８】
コマンドデコーダ２６は、データドライバ制御用信号を構成する制御用コマンドを解釈するデコード機能を実現するものである。そして、当該制御用コマンドの解釈結果によってデータドライバ部１２における制御内容を決定し、その水平周期内は決定した内容の動作を行う。
【００２９】
続いて、信号を重畳して伝送する処理動作例を説明する。
図３は、上述した構成の表示パネル用駆動回路における処理動作例、すなわち本発明に係る表示パネルの駆動方法の一例を示すタイミングチャートである。
【００３０】
表示パネル用駆動回路による表示パネル１１の駆動制御は、図３（a）に示すように、垂直同期信号Ｖsyncおよび水平同期信号Ｈsyncによって特定されるタイミングに則して行う。具体的には、垂直同期信号Ｖsyncによって特定される一垂直周期中に、水平同期信号Ｈsyncによって特定される複数ライン分の水平周期が存在し、そのうちの１ライン目〜Ｎ−１ライン目までが有効映像期間、Ｎライン目以降が非有効映像期間となる。そして、有効映像期間では、表示パネル１１の各表示素子に対して、画像データ用信号に応じた大きさの電圧および電流を供給して、当該表示パネル１１に画像表示を行わせる。一方、非有効映像期間は、いわゆるブランキング期間に相当するもので、表示パネル１１での画像表示は行わない。
【００３１】
さらに詳しくは、有効映像期間では、図３（ｂ）に示すように、データドライバ部１２が、以下に述べるような処理動作を行う。すなわち、データドライバ部１２は、例えば１ライン目の水平周期中であれば、クロック信号ＣＬＫの一周期分に相当する水平同期信号Ｈsyncの立ち下がりを契機に、表示パネル１１の各表示素子に対して１ライン目のデータ出力を行う。さらには、タイミングコントロール部１４から２ライン目の画像データ用信号の取得も併せて行う。そして、次の２ライン目の水平周期中になると、水平同期信号Ｈsyncの立ち下がりを契機に、表示パネル１１の各表示素子に対して２ライン目のデータ出力を行う。さらには、タイミングコントロール部１４から３ライン目の画像データ用信号の取得も併せて行う。
【００３２】
ただし、水平同期信号Ｈsyncの伝送期間中、すなわち当該水平同期信号Ｈsyncの立ち上がりから立ち下がりまでの間については、各表示素子に対するデータ出力も、タイミングコントロール部１４からの画像データ用信号の取得も行わない。これは、フラットパネルディスプレイにおいても、ＣＲＴ（Cathode Ray Tube）の場合と同様の信号フォーマットおよび駆動タイミングを、そのまま踏襲しているからである。
したがって、タイミングコントロール部１４とデータドライバ部１２との間で画像データ用信号の伝送を行う信号線１５は、水平同期信号Ｈsyncの伝送期間中については、信号伝送の役割を担っていないことになる。
【００３３】
そこで、本実施形態で説明する表示パネルの駆動方法では、水平同期信号Ｈsyncの伝送期間中を利用して、タイミングコントロール部１４からデータドライバ部１２へのデータドライバ制御用信号の伝送を行うようにする。つまり、空いている信号線１５を利用して、データドライバ制御用信号の伝送を行うのである。このように、各ラインの水平同期信号Ｈsyncの伝送期間中にデータドライバ制御用信号を重畳することで、当該伝送期間に続く水平周期中については、重畳したデータドライバ制御用信号によって制御内容が特定されることになる。さらには、このように各ラインの水平同期信号Ｈsyncに同期したタイミングで信号を重畳して伝送すれば、画像データ用信号とデータドライバ制御用信号とを、同一の信号線１５を通じて、タイミングコントロール部１４からデータドライバ部１２へ供給することが可能になる。
なお、各信号の伝送には同一の信号線１５を使用するため、当該各信号は時間的に分離されている必要がある。この点については、データドライバ制御用信号は水平同期信号Ｈsyncの伝送期間中に伝送され、画像データ用信号は水平同期信号Ｈsyncの伝送後（立ち下がり後）から伝送されるので、問題になることはない。
【００３４】
以上のような信号の重畳および伝送を行うと、例えば、有効映像期間であれば、水平同期信号Ｈsyncに同期して重畳したデータドライバ制御用信号によって、当該水平同期信号Ｈsyncに続く水平周期中は有効映像期間内であることが明確に把握し得るようになる。これを受けて、図３（ｂ）に示す如く、データドライバ部１２は、上述したように、画像データ用信号に応じた電圧や電流等の出力（データ出力）および次の水平周期の分の画像データ用信号の取り込み（データ取得）を行うことになる。
【００３５】
また、非有効映像期間であれば、図３（ｃ）に示すように、データドライバ部１２は、画像データ用信号に応じた電圧や電流等の出力を行わない。ただし、水平同期信号Ｈsyncに同期して重畳したデータドライバ制御用信号によって、当該水平同期信号Ｈsyncに続く水平周期中に行うべき制御動作の内容が指示される。したがって、データドライバ部１２は、当該水平同期信号Ｈsyncに続く水平周期中に、データドライバ制御用信号によって指示された内容の制御動作を行うことになる。
【００３６】
このときにデータドライバ部１２が行う制御内容としては、以下に述べるようものが挙げられる。具体的には、データドライバ部１２が表示パネル１１に対して定電流出力を行うように構成されている場合の定電流値の設定、データドライバ部１２における設定のリセット動作のオン／オフ指示、データドライバ部１２の出力段オン／オフ切替、表示画像のインターレース・プログレッシブの切替、表示画像の奇数フレーム／偶数フレーム情報の管理、水平ライン番号の管理等である。ただし、これらの具体例に限定されないことはいうまでもない。
【００３７】
ここで、データドライバ部１２での制御内容を特定するデータドライバ制御用信号について、具体例を挙げて説明する。
【００３８】
図４は、データドライバ制御用信号についてのコマンド割付例を示す説明図である。
図例では、ＲＧＢの各色１０ビット、計３０ビットの画像データ用信号に対応するように、コマンド割付が設定されている場合を示している。さらに詳しくは、Ｒ色の１〜１０ビット分に対応する信号に、データドライバ部１２での制御内容を特定する制御用コマンドを割り付けている。そして、当該信号におけるハイ（オン）／ロウ（オフ）の組み合わせによって、データドライバ部１２での制御内容を規定している。一方、Ｇ色およびＢ色の計２０ビット分に対応する信号には、制御用コマンドに付随する設定パラメータを割り付けている。そして、当該信号におけるハイ（オン）／ロウ（オフ）を利用して、２進数により、データドライバ部１２の制御動作時に必要となる設定パラメータを規定している。なお、ここでは、Ｒ色を制御コマンド、Ｇ色およびＢ色を制御時の設定パラメータとしている場合を例に挙げたが、各信号への割付態様はこれに限定されることなく、任意に設定することが可能である。
【００３９】
このような各信号へのコマンド割付は、その内容が、例えば図４に示すようなテーブル形式で、タイミングコントロール部１４内およびデータドライバ部１２内、またはこれらがアクセスし得る記憶装置内に、予め設定され保持されているものとする。
【００４０】
そして、以上のようなコマンド割付に基づいて構成されたデータドライバ制御用信号がタイミングコントロール部１４から伝送されてくると、データドライバ部１２は、以下に述べるような処理動作を行う。データドライバ部１２は、先ず、Ｒ色の１ビット目に対応する信号のハイ（オン）／ロウ（オフ）を認識する。その結果がハイであれば、データドライバ部１２は、有効映像期間内であると判断して、水平同期信号Ｈsyncに続く水平周期中に、画像データ用信号に応じたデータ出力および次の水平周期の分のデータ取得を行う。また、その結果がロウであれば、データドライバ部１２は、非有効映像期間内であると判断して、引き続き、Ｒ色の２〜５ビット目に対応する信号のハイ（オン）／ロウ（オフ）を認識する。これにより、行うべき制御内容が、リセット動作、ドライバ電流値設定、ドライバ設定１、ドライバ設定２、または、ＮＯＰ（何もしないこと）のいずれであるかを判断する。そして、行うべきと判断した制御内容を、水平同期信号Ｈsyncに続く水平周期中に、Ｇ色およびＢ色の計２０ビット分に対応する信号によって特定される設定パラメータを用いつつ、実行する。なお、ここで挙げたドライバ設定１、ドライバ設定２は、その内容が特に限定されるものではない。すなわち、ドライバ設定１、ドライバ設定２は、いずれも、データドライバ部１２が行う制御内容を識別するための名称に相当するものに過ぎない。したがって、その内容としては、例えばデータドライバ部１２の出力段オン／オフ切替、表示画像のインターレース・プログレッシブの切替、表示画像の奇数フレーム／偶数フレーム情報の管理、水平ライン番号の管理等を行うことが考えられる。
【００４１】
以上に説明したように、本実施形態における表示装置１、表示パネルモジュール２および表示パネル用駆動回路、並びに、当該表示パネル用駆動回路が実施する表示パネル１１の駆動方法では、画像データ用信号とデータドライバ制御用信号とを、同一の信号線１５を通じて、タイミングコントロール部１４らデータドライバ部１２へ供給する。そのため、タイミングコントロール部１４とデータドライバ部１２との間では、画像データ用信号とデータドライバ制御用信号とをそれぞれ別個の信号線で伝送する場合に比べて、信号線数や端子数等を削減することができる。つまり、データドライバ部１２が行う制御内容を特定するデータドライバ制御用信号を、タイミングコントロール部１４から当該データドライバ部１２へ伝送する場合であっても、これらの間の信号線数や端子数等を削減することができる。したがって、タイミングコントロール部１４とデータドライバ部１２との間の回路構成の簡素化が実現でき、これにより装置小型化への対応が容易となり、また装置コストの増大も抑制し得るようになる。しかも、データドライバ制御用信号の伝送により、当該データドライバ制御用信号の内容によってデータドライバ部１２が行う制御内容を変えることができるようになる。つまり、動作条件やその設定等の変更が非常に容易となるので、汎用性の高い動作制御を実現し得るようになる。
【００４２】
また、本実施形態で説明したように、データドライバ部１２での制御内容が一義的に特定される制御用コマンドを含んでデータドライバ制御用信号を構成すれば、当該制御内容を信号のオン／オフの組み合わせによって表現することが可能となる。すなわち、データドライバ制御用信号を、画像データ用信号と同様の信号形式で構成することができる。したがって、画像データ用信号とデータドライバ制御用信号とを同一の信号線１５で伝送する上で、非常に好適なものとなる。しかも、制御用コマンドのみならず、当該制御用コマンドに付随する設定用パラメータを含んで構成することも実現容易となる。そのため、制御用コマンドと設定用パラメータとを同時に伝送することが可能となり、信号伝送効率の向上を図る上でも、非常に好適なものとなる。
【００４３】
また、本実施形態で説明したように、タイミングコントロール部１４がエンコード機能を有したコマンドエンコーダ２２を備え、データドライバ部１２がデコード機能を有したコマンドデコーダ２６を備えていれば、外部から与えられる信号形式に因らずに、タイミングコントロール部１４とデータドライバ部１２との間で、制御用コマンドを含んで構成されたデータドライバ制御用信号の授受を行うことが可能となる。
【００４４】
さらに、本実施形態で説明したように、制御用コマンドにより特定される制御内容を、一垂直周期中における有効映像期間と当該一垂直周期中における非有効映像期間とで異なるようにすれば、水平同期信号Ｈsyncの伝送期間中にデータドライバ制御用信号を伝送する場合であっても、有効映像期間における表示パネル１１での画像表示動作に悪影響が及ぶことがない。すなわち、制御用コマンドにより特定される制御内容を、有効映像期間では画像データ用信号に基づく画像表示動作を指示する内容とし、非有効映像期間ではデータドライバ部１２におけるドライバ内部設定を指示する内容とすることで、当該データドライバ部１２における処理動作を、有効映像期間内と非有効映像期間内とで明確に切り分けることができる。
【００４５】
なお、ここでは、有効映像期間と非有効映像期間との切り分け制御について例示したが、以下に述べるような態様での切り分け制御を行うことも考えられる。
例えば、制御用コマンドにより特定される制御機能を下記のように分類し、データドライバ制御用信号が伝送された水平周期内で有効となり、その制御に従いデータドライバ部１２が動作を行うようにする。具体的には、有効映像期間の動作として、画像データ用信号に沿ったデータ出力、および、次の水平周期の画像データ用信号の取り込みを行う。また、非有効映像期間でドライバ制御期間の動作としては、データ出力は行わず、ドライバ内部設定を行う。さらに、非有効映像期間で非ドライバ制御期間の動作としては、データ出力もドライバ内部設定も行わない。すなわち、非有効映像期間では、制御用コマンドにより特定される制御内容が、データドライバ部１２におけるドライバ内部設定動作および画像表示動作も内部設定動作もしない待機動作を指示する内容となる。
【００４６】
以上に説明した表示パネル用駆動回路または表示パネルモジュール２を備えて構成された表示装置１は、図５〜図９に示す様々な電子機器に用いられる。以下に、表示装置が用いられる電子機器の具体例を説明する。
【００４７】
図５は、電子機器の一具体例であるテレビを示す斜視図である。図例のテレビは、フロントパネル１０２やフィルターガラス１０３等から構成される映像表示画面部１０１を含み、その映像表示画面部１０１として有機ＥＬ表示装置を用いることにより作製される。
【００４８】
図６は、電子機器の一具体例であるデジタルカメラを示す斜視図であり、（Ａ）は表側から見た斜視図、（Ｂ）は裏側から見た斜視図である。図例のデジタルカメラは、フラッシュ用の発光部１１１、表示部１１２、メニュースイッチ１１３、シャッターボタン１１４等を含み、その表示部１１２として有機ＥＬ表示装置を用いることにより作製される。
【００４９】
図７は、電子機器の一具体例であるノート型パーソナルコンピュータを示す斜視図である。図例のノート型パーソナルコンピュータは、本体１２１に、文字等を入力するとき操作されるキーボード１２２、画像を表示する表示部１２３等を含み、その表示部１２３として有機ＥＬ表示装置を用いることにより作製される。
【００５０】
図８は、電子機器の一具体例であるビデオカメラを示す斜視図である。図例のビデオカメラは、本体部１３１、前方を向いた側面に被写体撮影用のレンズ１３２、撮影時のスタート／ストップスイッチ１３３、表示部１３４等を含み、その表示部１３４として有機ＥＬ表示装置を用いることにより作製される。
【００５１】
図９は、電子機器の一具体例である携帯端末装置、例えば携帯電話機を示す図であり、（Ａ）は開いた状態での正面図、（Ｂ）はその側面図、（Ｃ）は閉じた状態での正面図、（Ｄ）は左側面図、（Ｅ）は右側面図、（Ｆ）は上面図、（Ｇ）は下面図である。本適用例に係る携帯電話機は、上側筐体１４１、下側筐体１４２、連結部（ここではヒンジ部）１４３、ディスプレイ１４４、サブディスプレイ１４５、ピクチャーライト１４６、カメラ１４７等を含み、そのディスプレイ１４４やサブディスプレイ１４５として有機ＥＬ表示装置を用いることにより作製される。
【００５２】
なお、本実施形態では、本発明の好適な実施具体例を説明したが、本発明はその内容に限定されるものではなく、その要旨を逸脱しない範囲で適宜変更することが可能である。例えば、本実施形態で例に挙げた信号のビット数等は、特に限定されるものではなく、必要に応じて適宜変更することが可能である。
【図面の簡単な説明】
【００５３】
【図１】本発明に係る表示装置の概略構成例を示す機能ブロック図である。
【図２】本発明に係る表示パネル用駆動回路の機能構成例を示すブロック図である。
【図３】本発明に係る表示パネルの駆動方法の一例を示すタイミングチャートである。
【図４】データドライバ制御用信号についてのコマンド割付例を示す説明図である。
【図５】電子機器の一具体例であるテレビを示す斜視図である。
【図６】電子機器の一具体例であるデジタルカメラを示す斜視図である。
【図７】電子機器の一具体例であるノート型パーソナルコンピュータを示す斜視図である。
【図８】電子機器の一具体例であるビデオカメラを示す斜視図である。
【図９】電子機器の一具体例である携帯端末装置、例えば携帯電話機を示す図である。
【図１０】従来における表示装置の要部構成例を示す機能ブロック図である。
【符号の説明】
【００５４】
１…表示装置、２…表示パネルモジュール、３…ビデオ信号処理回路、４…ＩＰ変換回路、１１…表示パネル、１２…データドライバ部、１３…スキャンドライバ部、１４…タイミングコントロール部、１５…信号線、２１…フレームメモリ、２２…コマンドエンコーダ、２３，２４…セレクタ、２５…画像データ取込部、２６…コマンドデコーダ
【図１】
2010096956.tif 000003
【図２】
2010096956.tif 000004
【図３】
2010096956.tif 000005
【図４】
2010096956.tif 000006
【図５】
2010096956.tif 000007
【図６】
2010096956.tif 000008
【図７】
2010096956.tif 000009
【図８】
2010096956.tif 000010
【図９】
2010096956.tif 000011
【図１０】
2010096956.tif 000012